(57)【特許請求の範囲】
【請求項１】
座部体及びこの座部体の後端部に設けられた背部体とを備えた座椅子において、
上記座部体は座板及びこの座板の上面に設けられた座部クッション体を有し、この座部体の後端部には、利用者が正座したときに利用者の足部を圧迫するのを防止する逃げ部が設けられていて、
上記逃げ部は、上記座板の後端部に、この後端に開放して形成された切り欠き部と、上記座部クッション体の後端部の上記切り欠き部と対応する位置に、後端に向かって低く傾斜して形成された傾斜部からなることを特徴とする座椅子。
【請求項２】
上記座部体はクッション体及びこのクッション体に埋設されたパイプ材によって形成され、
上記逃げ部は上記クッション体の後端部に、後端に向かって低く傾斜して形成された傾斜部からなることを特徴とする請求項１記載の座椅子。
【請求項３】
上記座部体は、上記座板を回転可能に支持する脚体を備えていることを特徴とする請求項１記載の座椅子。
【発明の詳細な説明】
【０００１】
【発明の属する技術分野】
この発明は座部体と背部体とを有する座椅子に関する。
【０００２】
【従来の技術】
和室で使用される座椅子には種々のタイプのものがあり、たとえば金属パイプによって形成されたフレーム状の座部体と背部体とをヒンジによって回動可能かつ所定の角度で保持可能に連結した構造、或いは一枚の板材をほぼＬ字状に折り曲げ加工することで、その一端部を座部体、他端部を背部体とした構造などが知られている。
【０００３】
いずれの構造の座椅子においても、使用する場合には、利用者はあぐらの状態で使用したり、正座の状態で使用することがあり、その使用形態は利用者によって異なる。あぐらの状態で使用する場合、とくに問題はないが、正座の状態で使用する場合、利用者の足部が利用者自身の臀部と座椅子の座部体とで圧迫されることになる。
【０００４】
そのため、足部の血行が悪くなるから、神経が麻痺し、シビレが生じ易いということがあるため、長時間の利用を嫌う利用者が多い。
【０００５】
【発明が解決しようとする課題】
このように、座椅子を正座の状態で利用する場合、利用者は足部が強く圧迫され易いため、早期に足部にシビレが生じ易いということがあった。
【０００６】
この発明は、正座の状態で利用しても、利用者の足部にシビレが生じ難いようにした座椅子を提供することにある。
【０００７】
【解決を解決するための手段】
請求項１の発明は、座部体及びこの座部体の後端部に設けられた背部体とを備えた座椅子において、
上記座部体は座板及びこの座板の上面に設けられた座部クッション体を有し、この座部体の後端部には、利用者が正座したときに利用者の足部を圧迫するのを防止する逃げ部が設けられていて、
上記逃げ部は、上記座板の後端部に、この後端に開放して形成された切り欠き部と、上記座部クッション体の後端部の上記切り欠き部と対応する位置に、後端に向かって低く傾斜して形成された傾斜部からなることを特徴とする座椅子にある。
【０００９】
請求項２の発明は、上記座部体はクッション体及びこのクッション体に埋設されたパイプ材によって形成され、
上記逃げ部は上記クッション体の後端部に、後端に向かって低く傾斜して形成された傾斜部からなることを特徴とする請求項１記載の座椅子にある。
【００１０】
請求項４の発明は、上記座部体は、上記座板を回転可能に支持する脚体を備えていることを特徴とする請求項１記載の座椅子にある。
【００１１】
この発明によれば、座部体に利用者が正座したときに、この座部体の後端部に利用者の足部を圧迫するのを防止する逃げ部を設けたから、この逃げ部によって正座した利用者の足部が圧迫され難くなる。
【００１２】
【発明の実施の形態】
以下、図面を参照しながらこの発明の実施の形態を説明する。
【００１３】
図１乃至図４はこの発明の第１の実施の形態を示し、図１に示す座椅子１Ａは座部体２を備えている。この座部体２は脚体３によって回転可能に支持されている。すなわち、上記脚体３は所定間隔で平行に離間対向して配置された一対の脚部材４を有し、これら脚部材４の上端面には回転機構５が設けられている。この回転機構５は図４に示すように、上記脚部材４の上端面に固定された固定盤６及びこの固定盤６上に軸受８によって回転可能に設けられた回転盤７とを備えている。
【００１４】
上記座部体２は座板１１の上面にクッション体１２が接合され、このクッション体１２が外装地１３によって被覆されてなり、上記座板１１が上記回転機構５の回転盤７に取付け固定されている。それによって、上記座部体２は上記脚体３によって脚部材４の高さに応じた高さで回転可能に支持されている。
【００１５】
上記座部体２の後端部には背部体１４が立設されている。この背部体１４は上記座部体２の座板１１の後端の幅方向両端部に下端を固着して立設された一対の縦杆１５及びこれら縦杆１５の上端に架設された背もたれ１６とによって形成されている。
【００１６】
上記座部体２の後端部には逃げ部１７が形成されている。この逃げ部１７は、上記座板１１の後端部に幅方向に沿って所定寸法で開放して形成された切り欠き部１８と、上記クッション体１２の後端部の上記切り欠き部１８と対応する位置に、上記切り欠き部１８に向かって低く傾斜して形成された傾斜部１９とからなる。
【００１７】
なお、逃げ部１７は上記切り欠き部１８と傾斜部１９とのどちらか一方だけであってもよく、切り欠き部１８だけによって逃げ部１７を形成する場合は、クッション体１２の形状を切り欠き部１８を閉塞しないようにしなければならず、傾斜部１９だけによって逃げ部１７を形成する場合は、クッション体１２の厚さを十分に厚くし、クッション体１２上に正座した利用者の足部が座板１１に当たらないようにしなければならない。
【００１８】
このような構成の座椅子１Ａによれば、図２若しくは図４に示すように利用者Ｕが座部体２に正座すると、利用者Ｕの足部Ｆは座部体２に形成された逃げ部１７に対応位置することになる。
【００１９】
それによって、利用者Ｕの足部Ｆは、クッション体１２の傾斜部１９に対応位置し、足部Ｆの先端部、つまり足の指の部分は切り欠き部１８によって座板１１に当たることなく下方へ伸ばすことができる。
【００２０】
そのため、利用者Ｕは座部体２に形成された逃げ部１７によって足部Ｆをほとんど曲げることなく正座することができるばかりか、足部Ｆが逃げ部１７に位置することで、座部体２の上面と自分の臀部の重さとによって圧迫されるということがないため、比較的長時間着座していても、足部Ｆにシビレが生じるのを防ぐことができる。
【００２１】
しかも、座部体２は脚体３によって所定の高さで支持されている。そのため、座部体２に正座した利用者Ｕの足部Ｆの先端部分を座部体２の逃げ部１７から下方へ伸ばすことができるから、そのことによっても利用者の足部Ｆが圧迫されてシビレが生じるのを防止できる。
【００２２】
図５（ａ），（ｂ）はこの発明の第２の実施の形態を示す。この実施の形態の座椅子１Ｂは座部体２１と背部体２２とがそれぞれほぼコ字状に曲成されたパイプ材２１ａ，２２ａを有する。座部体２１ａのパイプ材２１ａの後端に背部体２２のパイプ材２２ａの下端が固着されている。これらパイプ材２１ａ、２２ａがほぼＬ字状をなしている。
【００２３】
座部体２１のパイプ材２１ａはクッション体２３内に埋め込まれ、背部体２２のパイプ材２２ａの上端は湾曲していて、この湾曲部には円柱状の背もたれ２３が設けられている。
【００２４】
上記クッション体２３の後端部には逃げ部としての傾斜部２４が幅方向全長にわたり形成されている。この傾斜部２４は上記クッション体２３の後端に向かって低く傾斜している。
【００２５】
なお、上記座部体２のクッション体２３は、利用者が足部を傾斜部２４に位置させて正座したときに、足部の先端が床面（畳面）に当たることのない厚さを有している。
【００２６】
このような構成の座椅子１Ｂに利用者が正座する場合、利用者は足部をクッション体２３の傾斜部２４に位置させて着座する。それによって、利用者は足部を無理に曲げられることなく正座することができる。そのため、利用者の足部はクッション体２３と自分の臀部とで圧迫されることがないから、比較的長時間着座していても、足部にシビレが生じるのを防止できる。
【００２７】
図６（ａ），（ｂ）はこの発明の第３の実施の形態の座椅子１Ｃを示す。この座椅子１Ｃの座部体３１は座板３２を有し、この座板３２は下面四隅部に設けられた脚部材３３によって所定の高さで支持されている。
【００２８】
上記座板３２の上面にはクッション体３３が載置されている。また、座板３２の後端部には、逃げ部としての凹状の切り欠き部３４が座板３２の後端に開放し、しかも幅方向に所定寸法で形成されている。
【００２９】
上記座板３２の後端には背部体を形成する背板３５が設けられている。この背板３５は上記切り欠き部３４の後端に位置している。それによって、利用者が座板３２に正座すると、その利用者の足部は背板３５に邪魔されることなく、切り欠き部３４に対応位置させることができる。
【００３０】
このような構成の座椅子１Ｃによれば、利用者が座板３２上のクッション体３３に正座すると、足部が座板３２に形成された切り欠き部３４に対応位置するため、利用者は足部をほとんど曲げることなく正座することができる。
【００３１】
それによって、利用者は足部が座板３２と自分の臀部の重さとによって圧迫されるということがないから、足部にシビレが生じることなく、正座することができる。
【００３２】
図７はこの発明の第４の実施の形態を示す。この実施の形態の座椅子１Ｄは板材をほぼＬ字状に曲成して座部体としての座部４１と、背部体としての背部４２とがばね作用を呈する円弧部４３を介して一体形成されている。
【００３３】
上記座部４１には所定の厚さのクッション体４４が設けられている。このクッション体４４の後端部には、後端に向かって漸次低く傾斜して後端面に開放した逃げ部としての傾斜部４５が形成されている。
【００３４】
なお、クッション体４４の厚さは、利用者がクッション体４４上に正座したときに、傾斜部４５に位置する足部を曲げなくて済むように設定されている。
【００３５】
このような構成の座椅子１Ｄによれば、利用者が足部をクッション体４４に形成された傾斜部４５に対応させてこのクッション体４４上に正座すると、足部が上記傾斜部４５に逃げるため、クッション体４４と自重とによって圧迫されることがなくなる。そのため、比較的長時間正座していても、足部にシビレが生じ難い。
【００３６】
【発明の効果】
以上のようにこの発明によれば、座部体の後端部に利用者が正座したときに利用者の足部を圧迫するのを防止する逃げ部を設けた。
【００３７】
そのため、利用者が座部体に正座すると、その利用者の足部は上記逃げ部に逃げるため、座部体と臀部の自重によって圧迫されるのが防止されるから、正座した利用者の足部がシビレ難い。
【図面の簡単な説明】
【図１】この発明の第１の実施の形態を示す座椅子の斜視図。
【図２】利用者が正座した状態を示す側断面図。
【図３】座椅子の平面図。
【図４】座部体及びこの座部体を回転可能に支持した回転機構の拡大断面図。
【図５】この発明の第２の実施の形態を示し、（ａ）は座椅子の側面図、（ｂ）は平面図。
【図６】この発明の第３の実施の形態を示し、（ａ）は座椅子の側面図、（ｂ）は平面図。
【図７】この発明の第４の実施の形態の座椅子を示す斜視図。
【符号の説明】
２…座部体
４…脚部材
１２…クッション体
１４…背部体
１７…逃げ部
１８…切り欠き部（逃げ部）
１９…傾斜部（逃げ部）
２３…クッション体
３４…切り欠き部（逃げ部）
４５…傾斜部（逃げ部）
【図１】
0004115691.tif 000002
【図２】
0004115691.tif 000003
【図３】
0004115691.tif 000004
【図４】
0004115691.tif 000005
【図５】
0004115691.tif 000006
【図６】
0004115691.tif 000007
【図７】
0004115691.tif 000008